【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
マルチレイヤビデオデータを含むマルチレイヤビットストリームから、複数の動作点を含むビデオデータの複数のレイヤを取得することと、ここにおいて、各動作点は、前記複数のレイヤのうちの１つまたはそれ以上のレイヤを含むレイヤの組を備える、
前記マルチレイヤビットストリームから、前記マルチレイヤビットストリーム中に存在する出力動作点の最大数を識別する第１のシンタックス要素を復号することと、ここにおいて、出力動作点は、１つまたは複数のターゲット出力レイヤを識別し、ターゲット出力レイヤは、表示のための出力であることが意図されるレイヤである、
前記マルチレイヤビットストリームから、それぞれの出力動作点がそれに基づいて形成される動作点を識別する１つまたは複数の第２のシンタックス要素と、前記それぞれの出力動作点の前記１つまたは複数のターゲット出力レイヤとして前記動作点の１つまたは複数のレイヤを識別する１つまたは複数の第３のシンタックス要素とを復号することと、
前記ビットストリームの前記シンタックス要素に基づいて、前記出力動作点を特定することと
を備える、方法。
【請求項２】
ビデオデータを符号化するための方法であって、
マルチレイヤビデオデータを含むマルチレイヤビットストリームとして、複数の動作点を含むビデオデータの複数のレイヤを符号化することと、ここにおいて、各動作点は、前記複数のレイヤのビデオデータの１つまたはそれ以上のレイヤを含むレイヤの組を備える、
前記マルチレイヤビットストリームにおいて、前記マルチレイヤビットストリーム中に存在する出力動作点の最大数を識別する第１のシンタックス要素を符号化することと、ここにおいて、出力動作点は、１つまたは複数のターゲット出力レイヤを識別し、ターゲット出力レイヤは、表示のための出力であることが意図されるレイヤである、
前記マルチレイヤビットストリームにおいて、それぞれの出力動作点がそれに基づいて形成される動作点を識別する１つまたは複数の第２のシンタックス要素と、前記それぞれの出力動作点の前記１つまたは複数のターゲット出力レイヤとして前記動作点の１つまたは複数のレイヤを識別する１つまたは複数の第３のシンタックス要素とを符号化することと、
を備える、方法。
【請求項３】
前記１つまたは複数の第３のシンタックス要素は、前記１つまたは複数のターゲット出力レイヤの各ターゲット出力レイヤをそれぞれ示す１つまたは複数のシンタックス要素を備える、請求項１または２に記載の方法。
【請求項４】
前記１つまたは複数の第３のシンタックス要素は、各ターゲット出力レイヤに対してそれぞれ出力レイヤフラグを備える、請求項３に記載の方法。
【請求項５】
前記マルチレイヤビットストリームは、各レイヤがビデオデータのビューを備え、前記１つまたは複数のターゲット出力レイヤが１つまたは複数のターゲット出力ビューを備えるように、マルチビュービットストリームを備える、または、前記マルチレイヤビットストリームは、前記１つまたは複数の出力動作点を特定することが、奥行きデータを備える１つまたは複数のターゲット出力奥行きレイヤを特定することをさらに備えるように、１つまたは複数の奥行きレイヤを備える、請求項１に記載の方法。
【請求項６】
前記マルチレイヤビットストリームは、前記出力動作点を特定することが、１つまたは複数のスケーラブルターゲット出力レイヤを特定することを備えるように、ビデオデータの複数のスケーラブルレイヤを有するビットストリームを備え、前記出力動作点を特定することは、望ましくは、数値的に最高のｌａｙｅｒ＿ｉｄを有する前記スケーラブルターゲット出力レイヤを特定することを備える、請求項１に記載の方法。
【請求項７】
前記１つまたは複数のターゲット出力レイヤのうちの１つではないが、前記動作点に属する１つまたは複数のレイヤを含む、出力されないが復号されるべきレイヤの組を復号することと、
出力に使用されるべきピクチャとして、復号ピクチャバッファ内の前記１つまたは複数のターゲット出力レイヤに含まれる第１の復号ピクチャをマーキングすることと、
出力に使用されないピクチャが、出力に使用されるべき前記ピクチャよりも早く前記復号ピクチャバッファから除去されるように、出力に使用されない前記ピクチャとして、前記復号ピクチャバッファ内の復号されるが出力されないレイヤの前記組に含まれる第２の復号ピクチャをマーキングすることと
をさらに備える、請求項１に記載の方法。
【請求項８】
出力に使用されないものとしてマーキングされた前記ピクチャが、インター予測およびレイヤ間予測のうちの一方のために使用されるかどうかを判定することと、
出力に使用されない前記ピクチャが、インター予測およびレイヤ間予測のうちの一方のために使用されないとき、前記復号ピクチャバッファからの出力に使用されないものとしてマーキングされた前記ピクチャを除去することと
をさらに備える、請求項７に記載の方法。
【請求項９】
前記１つまたは複数のシンタックス要素は、符号化ビットストリームのビデオパラメータセット（ＶＰＳ）およびＶＰＳ拡張のうちの一方に含まれる、または、前記１つまたは複数のシンタックス要素は、前記符号化ビットストリームの補足エンハンスメント情報（ＳＥＩ）メッセージに含まれる、請求項１または２に記載の方法。
【請求項１０】
前記マルチレイヤビットストリームは、各レイヤがビデオデータのビューを備え、前記１つまたは複数のターゲット出力レイヤが１つまたは複数のターゲット出力ビューを備えるように、マルチビュービットストリームを備える、または、
前記マルチレイヤビットストリームは、前記１つまたは複数の出力動作点が、奥行きデータを備える１つまたは複数のターゲット出力奥行きレイヤを備えるように、１つまたは複数の奥行きレイヤを備える、請求項２に記載の方法。
【請求項１１】
前記マルチレイヤビットストリームは、前記出力動作点を特定することが、１つまたは複数のスケーラブルターゲット出力レイヤを特定することを備えるように、ビデオデータの複数のスケーラブルレイヤを有するビットストリームを備え、
前記出力動作点は、望ましくは、数値的に最高のｌａｙｅｒ＿ｉｄを有する前記スケーラブルターゲット出力レイヤを備える、請求項２に記載の方法。
【請求項１２】
ビデオデータを復号するためのデバイスであって、
マルチレイヤビデオデータを含むマルチレイヤビットストリームから、複数の動作点を含むビデオデータの複数のレイヤを取得するための手段と、ここにおいて、各動作点は、前記複数のレイヤのうちの１つまたはそれ以上のレイヤを含むレイヤの組を備える、
前記マルチレイヤビットストリームから、前記マルチレイヤビットストリーム中に存在する出力動作点の最大数を識別する第１のシンタックス要素を復号するための手段と、ここにおいて、出力動作点は、１つまたは複数のターゲット出力レイヤを識別し、ターゲット出力レイヤは、表示のための出力であることが意図されるレイヤである、
前記マルチレイヤビットストリームから、それぞれの出力動作点がそれに基づいて形成される動作点を識別する１つまたは複数の第２のシンタックス要素と、前記それぞれの出力動作点の前記１つまたは複数のターゲット出力レイヤとして前記動作点の１つまたは複数のレイヤを識別する１つまたは複数の第３のシンタックス要素とを復号するための手段と、
前記ビットストリームの前記シンタックス要素に基づいて、前記出力動作点を特定するための手段と
を備える、デバイス。
【請求項１３】
ビデオデータをコーディングするためのデバイスであって、
マルチレイヤビデオデータを含むマルチレイヤビットストリームとして、複数の動作点を含むビデオデータの複数のレイヤを符号化するための手段と、ここにおいて、各動作点は、前記複数のレイヤのうちの１つまたはそれ以上のレイヤを含むレイヤの組を備える、
前記マルチレイヤビットストリームにおいて、前記マルチレイヤビットストリーム中に存在する出力動作点の最大数を識別する第１のシンタックス要素を符号化するための手段と、ここにおいて、出力動作点は、１つまたは複数のターゲット出力レイヤを識別し、ターゲット出力レイヤは、表示のための出力であることが意図されるレイヤである、
前記マルチレイヤビットストリームにおいて、それぞれの出力動作点がそれに基づいて形成される動作点を識別する１つまたは複数の第２のシンタックス要素と、前記それぞれの出力動作点の前記１つまたは複数のターゲット出力レイヤとして前記動作点の１つまたは複数のレイヤを識別する前記ビットストリームの１つまたは複数の第３のシンタックス要素とを符号化するための手段と、
を備える、デバイス。
【請求項１４】
実行される際、ビデオデータをコーディングするためのデバイスのプロセッサに、請求項１〜１１のいずれかに記載の方法を行わせる命令を記憶した、非一時的コンピュータ可読記憶媒体。